【事件の表示】
　特願２００１−３８９７５１「データ記録装置およびデータ記録方法、データ再生装置およびデータ再生方法、データ配信サーバおよびデータ受信端末、ならびにデータ記録媒体」拒絶査定不服審判事件〔平成１５年　７月１１日出願公開、特開２００３−１９６９２１〕について、次のとおり審決する。
【結　論】
　本件審判の請求は、成り立たない。
【理　由】
第１　手続の経緯
　
　本願は、平成１３年１２月２１日に出願したものであって、平成１９年４月６日付けの拒絶理由通知に対する応答期間内の同年６月１８日付けで手続補正がなされたが、同年７月５日付けで拒絶査定がなされ、これに対し、同年８月９日付けで拒絶査定不服審判が請求されるとともに同年９月１０日付で手続補正がなされた。
　その後、平成２２年２月２２日付けで前置報告書に基づく審尋がなされが、回答書は提出されなかったものである。
　
第２　平成１９年９月１０日付けの手続補正についての補正却下の決定
　
［補正却下の決定の結論］
　平成１９年９月１０日付けの手続補正を却下する。
　
［理由］
１．本件補正
　平成１９年９月１０日付け手続補正（以下「本件補正」という。）は、特許請求の範囲及び明細書についてするもので、そのうち特許請求の範囲については、本件補正前に、
　
「【請求項１】
　所有および／あるいは利用する１または複数のユーザの生体情報と、コピー可能であり、上記生体情報により暗号化されたコンテンツとが、記録されていることを特徴とするデータ記録媒体。
　　【請求項２】
　上記生体情報が、暗号鍵により暗号化されて、記録されていることを特徴とする請求項１記載のデータ記録媒体。
　　【請求項３】
　さらに、上記暗号鍵が記録されていることを特徴とする請求項２記載のデータ記録媒体。
　　【請求項４】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１記載のデータ記録媒体。
　　【請求項５】
　コンテンツを、上記コンテンツを所有および／または利用する１または複数のユーザの生体情報により、暗号化するコンテンツ暗号化手段と、
　暗号化された上記コンテンツと、上記生体情報とをデータ記録媒体に記録する記録手段と
　を備え、
　上記データ記録手段に記録された上記コンテンツは、コピー可能であることを特徴とするデータ記録装置。
　　【請求項６】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項５記載のデータ記録装置。
　　【請求項７】
　コンテンツを、上記コンテンツを所有および／または利用する１または複数のユーザの生体情報により、暗号化するコンテンツ暗号化手段と、
　上記生体情報を暗号鍵により暗号化する生体情報暗号化手段と、
　暗号化された上記コンテンツと、暗号化された上記生体情報とをデータ記録媒体に記録する記録手段と
　を備え、
　上記データ記録媒体に記録された上記コンテンツは、コピー可能であることを特徴とするデータ記録装置。
　　【請求項８】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項７記載のデータ記録装置。
　　【請求項９】
　コンテンツを、上記コンテンツを所有および／または利用する１または複数のユーザの生体情報により、暗号化するコンテンツ暗号化手段と、
　上記生体情報を暗号鍵により暗号化する生体情報暗号化手段と、
　暗号化された上記コンテンツと、暗号化された上記生体情報と、上記暗号鍵とをデータ記録媒体に記録する記録手段と
　を備え、
　上記データ記録媒体に記録された上記コンテンツは、コピー可能であることを特徴とするデータ記録装置。
　　【請求項１０】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項９記載のデータ記録装置。
　　【請求項１１】
　コンテンツを所有および／または利用する１または複数のユーザの生体情報と、コピー可能であり、上記生体情報により暗号化されたコンテンツとが記録されたデータ記録媒体を再生するデータ再生装置において、
　データ記録媒体に記録された生体情報とコンテンツとを読み取るための読み取り手段と、
　上記読み取り手段により読み取られた上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／あるいは利用する１または複数のユーザであると判断した場合には、上記読み取り手段により読み取られた上記コンテンツの暗号化を、上記読み取り手段により読み取られた上記生体情報を用いて解読するコンテンツ暗号解読手段と
　を備えることを特徴とするデータ再生装置。
　　【請求項１２】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１１記載のデータ再生装置。
　　【請求項１３】
　コピー可能であり、コンテンツを所有および／あるいは利用する１または複数のユーザの生体情報により暗号化されたコンテンツと、暗号鍵により暗号化された生体情報とが記録されたデータ記録媒体を再生するデータ再生装置において、
　データ記録媒体に記録された生体情報とコンテンツとを読み取るための読み取り手段と、
　暗号鍵により、上記読み取り手段により読み出された上記生体情報の暗号化を解読する生体情報暗号解読手段と、
　上記生体情報暗号解読手段により暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／または利用する１または複数のユーザであると判断した場合には、上記読み取り手段により読み取られた上記コンテンツの暗号化を、上記生体情報暗号解読手段により解読された上記生体情報を用いて解読するコンテンツ暗号解読手段と
　を備えることを特徴とするデータ再生装置。
　　【請求項１４】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１３記載のデータ再生装置。
　　【請求項１５】
　コピー可能であり、コンテンツを所有および／または利用する１または複数のユーザの生体情報により暗号化されたコンテンツと、暗号鍵により暗号化された上記生体情報と、上記暗号鍵とが記録されたデータ記録媒体を再生するデータ再生装置において、
　データ記録媒体に記録された暗号鍵と生体情報とコンテンツとを読み取るための読み取り手段と、
　上記読み取り手段により読み取られた上記暗号鍵により、上記読み取り手段により読み取られた上記生体情報の暗号化を解読する生体情報暗号解読手段と、
　上記生体情報暗号解読手段により暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／あるいは利用する１または複数のユーザであると判断した場合には、上記読み取り手段により読み取られた上記コンテンツの暗号化を、上記生体情報暗号解読手段により解読された上記生体情報を用いて解読するコンテンツ暗号解読手段と
　を備えることを特徴とするデータ再生装置。
　　【請求項１６】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１５記載のデータ再生装置。
　　【請求項１７】
　コンテンツを、上記コンテンツを所有および／または利用する１または複数のユーザの生体情報により、暗号化するコンテンツ暗号化ステップと、
　暗号化された上記コンテンツと、上記生体情報とをデータ記録媒体に記録する記録ステップと
　を備え、
　上記データ記録手段に記録された上記コンテンツは、コピー可能であることを特徴とするデータ記録方法。
　　【請求項１８】
　コンテンツを、上記コンテンツを所有および／または利用する１または複数のユーザの生体情報により、暗号化するコンテンツ暗号化ステップと、
　上記生体情報を暗号鍵により暗号化する生体情報暗号化ステップと、
　暗号化された上記コンテンツと、暗号化された上記生体情報とを対応付けてデータ記録媒体に記録する記録ステップと
　を備え、
　上記データ記録媒体に記録された上記コンテンツは、コピー可能であることを特徴とするデータ記録方法。
　　【請求項１９】
　コンテンツを、上記コンテンツを所有および／または利用する１または複数のユーザの生体情報により、暗号化するコンテンツ暗号化ステップと、
　上記生体情報を暗号鍵により暗号化する生体情報暗号化ステップと、
　暗号化された上記コンテンツと、暗号化された上記生体情報と、上記暗号鍵とをデータ記録媒体に記録する記録ステップと
　を備え、
　上記データ記録媒体に記録された上記コンテンツは、コピー可能であることを特徴とするデータ記録方法。
　　【請求項２０】
　コンテンツを所有および／あるいは利用する１または複数のユーザの生体情報と、コピー可能であり、上記生体情報により暗号化されたコンテンツとが記録されたデータ記録媒体を再生するデータ再生方法において、
　データ記録媒体に記録された生体情報とコンテンツとを読み取るための読み取りステップと、
　上記読み取りステップにより読み取られた上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップにおいて、上記コンテンツの再生を要求する１または複数のユーザが、上記データ記録媒体に記録されたコンテンツを所有および／あるいは利用する１または複数のユーザであると判断された場合には、上記読み取りステップにより読み取られた上記コンテンツの暗号化を、上記読み取りステップにより読み取られた上記生体情報を用いて解読するコンテンツ暗号解読ステップと
　を備えることを特徴とするデータ再生方法。
　　【請求項２１】
　コピー可能であり、コンテンツを所有および／あるいは利用する１または複数のユーザの生体情報により暗号化されたコンテンツと、暗号鍵により暗号化された生体情報とが記録されたデータ記録媒体を再生するデータ再生方法において、
　データ記録媒体に記録された生体情報とコンテンツとを読み取るための読み取りステップと、
　暗号鍵により、上記読み取りステップにより読み取られた上記生体情報を解読する生体情報暗号解読ステップと、
　上記生体情報暗号解読ステップにより暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップにおいて、上記コンテンツの再生を要求する１または複数のユーザが、上記データ記録媒体に記録されたコンテンツを所有および／あるいは利用する１または複数のユーザであると判断した場合には、上記読み取り手段により読み取られた上記コンテンツの暗号化を、上記生体情報暗号解読のステップにより解読された上記生体情報により、解読するコンテンツ暗号解読ステップと
　を備えることを特徴とするデータ再生方法。
　　【請求項２２】
　コピー可能であり、コンテンツを所有および／あるいは利用する１または複数のユーザの生体情報により暗号化されたコンテンツと、暗号鍵により暗号化された上記生体情報と、上記暗号鍵とが記録されたデータ記録媒体を再生するデータ再生方法において、
　データ記録媒体に記録された暗号鍵と生体情報とコンテンツとを読み取るための読み取りステップと、
　上記読み取りステップにより読み取られた上記暗号鍵により、上記読み取りステップにより読み取られた上記生体情報を解読する生体情報暗号解読ステップと、
　上記生体情報暗号解読ステップにより暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップにおいて、上記コンテンツの再生を要求する１または複数のユーザが、上記データ記録媒体に記録された上記コンテンツを所有および／あるいは利用する１または複数のユーザであると判断された場合には、上記読み取りステップにより読み取られた上記コンテンツの暗号化を、上記生体情報暗号解読のステップにより解読された上記生体情報により、解読するコンテンツ暗号解読ステップと
　を備えることを特徴とするデータ再生方法。」
　とあったところを、
　
本件補正後、
「【請求項１】
　所有および／あるいは利用する１または複数のユーザの生体情報と、コピー可能であり、上記生体情報により暗号化されたコンテンツとが、
対応付けて
　　【請求項２】
　上記生体情報が、暗号鍵により暗号化されて、記録されていることを特徴とする請求項１記載のデータ記録媒体。
　　【請求項３】
　さらに、上記暗号鍵が記録されていることを特徴とする請求項２記載のデータ記録媒体。
　　【請求項４】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１記載のデータ記録媒体。
　　【請求項５】
　コンテンツを、上記コンテンツを所有および／または利用する１または複数のユーザの生体情報により、暗号化するコンテンツ暗号化手段と、
　暗号化された上記コンテンツと、上記生体情報とを
対応付けて
　を備え、
　上記データ記録手段に記録された上記コンテンツは、コピー可能であることを特徴とするデータ記録装置。
　　【請求項６】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項５記載のデータ記録装置。
　　【請求項７】
　コンテンツを、上記コンテンツを所有および／または利用する１または複数のユーザの生体情報により、暗号化するコンテンツ暗号化手段と、
　上記生体情報を暗号鍵により暗号化する生体情報暗号化手段と、
　暗号化された上記コンテンツと、暗号化された上記生体情報とを
対応付けて
　を備え、
　上記データ記録媒体に記録された上記コンテンツは、コピー可能であることを特徴とするデータ記録装置。
　　【請求項８】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項７記載のデータ記録装置。
　　【請求項９】
　コンテンツを、上記コンテンツを所有および／または利用する１または複数のユーザの生体情報により、暗号化するコンテンツ暗号化手段と、
　上記生体情報を暗号鍵により暗号化する生体情報暗号化手段と、
　暗号化された上記コンテンツと、暗号化された上記生体情報と、上記暗号鍵とを
対応付けて
　を備え、
　上記データ記録媒体に記録された上記コンテンツは、コピー可能であることを特徴とするデータ記録装置。
　　【請求項１０】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項９記載のデータ記録装置。
　　【請求項１１】
　コンテンツを所有および／または利用する１または複数のユーザの生体情報と、コピー可能であり、上記生体情報により暗号化されたコンテンツとが
対応付けて
　データ記録媒体に記録された生体情報とコンテンツとを読み取るための読み取り手段と、
　上記読み取り手段により読み取られた上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／あるいは利用する１または複数のユーザであると判断した場合には、上記読み取り手段により読み取られた上記コンテンツの暗号化を、上記読み取り手段により読み取られた上記生体情報を用いて解読するコンテンツ暗号解読手段と
　を備えることを特徴とするデータ再生装置。
　　【請求項１２】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１１記載のデータ再生装置。
　　【請求項１３】
　コピー可能であり、コンテンツを所有および／あるいは利用する１または複数のユーザの生体情報により暗号化されたコンテンツと、暗号鍵により暗号化された生体情報とが
対応付けて
　データ記録媒体に記録された生体情報とコンテンツとを読み取るための読み取り手段と、
　暗号鍵により、上記読み取り手段により読み出された上記生体情報の暗号化を解読する生体情報暗号解読手段と、
　上記生体情報暗号解読手段により暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／または利用する１または複数のユーザであると判断した場合には、上記読み取り手段により読み取られた上記コンテンツの暗号化を、上記生体情報暗号解読手段により解読された上記生体情報を用いて解読するコンテンツ暗号解読手段と
　を備えることを特徴とするデータ再生装置。
　　【請求項１４】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１３記載のデータ再生装置。
　　【請求項１５】
　コピー可能であり、コンテンツを所有および／または利用する１または複数のユーザの生体情報により暗号化されたコンテンツと、暗号鍵により暗号化された上記生体情報と、上記暗号鍵とが
対応付けて
　データ記録媒体に記録された暗号鍵と生体情報とコンテンツとを読み取るための読み取り手段と、
　上記読み取り手段により読み取られた上記暗号鍵により、上記読み取り手段により読み取られた上記生体情報の暗号化を解読する生体情報暗号解読手段と、
　上記生体情報暗号解読手段により暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／または利用する１または複数のユーザであるか否かを判断する照合手段と、
　上記照合手段が、上記コンテンツの再生を要求する１または複数のユーザが、上記データ記録媒体に記録されたコンテンツを所有および／あるいは利用する１または複数のユーザであると判断した場合には、上記読み取り手段により読み取られた上記コンテンツの暗号化を、上記生体情報暗号解読手段により解読された上記生体情報を用いて解読するコンテンツ暗号解読手段と
　を備えることを特徴とするデータ再生装置。
　　【請求項１６】
　上記生体情報が、指紋、声紋、筆跡、脈のパターン、皮膚の電気抵抗、掌紋、顔、耳形、虹彩、網膜パターン、打鍵パターンおよびＤＮＡのうちの少なくとも１つであることを特徴とする請求項１５記載のデータ再生装置。
　　【請求項１７】
　コンテンツを、上記コンテンツを所有および／または利用する１または複数のユーザの生体情報により、暗号化するコンテンツ暗号化ステップと、
　暗号化された上記コンテンツと、上記生体情報とを
対応付けて
　を備え、
　上記データ記録手段に記録された上記コンテンツは、コピー可能であることを特徴とするデータ記録方法。
　　【請求項１８】
　コンテンツを、上記コンテンツを所有および／または利用する１または複数のユーザの生体情報により、暗号化するコンテンツ暗号化ステップと、
　上記生体情報を暗号鍵により暗号化する生体情報暗号化ステップと、
　暗号化された上記コンテンツと、暗号化された上記生体情報とを
対応付けて
　を備え、
　上記データ記録媒体に記録された上記コンテンツは、コピー可能であることを特徴とするデータ記録方法。
　　【請求項１９】
　コンテンツを、上記コンテンツを所有および／または利用する１または複数のユーザの生体情報により、暗号化するコンテンツ暗号化ステップと、
　上記生体情報を暗号鍵により暗号化する生体情報暗号化ステップと、
　暗号化された上記コンテンツと、暗号化された上記生体情報と、上記暗号鍵とを
対応付けて
　を備え、
　上記データ記録媒体に記録された上記コンテンツは、コピー可能であることを特徴とするデータ記録方法。
　　【請求項２０】
　コンテンツを所有および／あるいは利用する１または複数のユーザの生体情報と、コピー可能であり、上記生体情報により暗号化されたコンテンツとが
対応付けて
　データ記録媒体に記録された生体情報とコンテンツとを読み取るための読み取りステップと、
　上記読み取りステップにより読み取られた上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップにおいて、上記コンテンツの再生を要求する１または複数のユーザが、上記データ記録媒体に記録されたコンテンツを所有および／あるいは利用する１または複数のユーザであると判断された場合には、上記読み取りステップにより読み取られた上記コンテンツの暗号化を、上記読み取りステップにより読み取られた上記生体情報を用いて解読するコンテンツ暗号解読ステップと
　を備えることを特徴とするデータ再生方法。
　　【請求項２１】
　コピー可能であり、コンテンツを所有および／あるいは利用する１または複数のユーザの生体情報により暗号化されたコンテンツと暗号鍵により暗号化された生体情報とが
対応付けて
　データ記録媒体に記録された生体情報とコンテンツとを読み取るための読み取りステップと、
　暗号鍵により、上記読み取りステップにより読み取られた上記生体情報を解読する生体情報暗号解読ステップと、
　上記生体情報暗号解読ステップにより暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップが、上記コンテンツの再生を要求する１または複数のユーザが、上記データ記録媒体に記録されたコンテンツを所有および／あるいは利用する１または複数のユーザであると判断した場合には、上記読み取りステップにより読み取られた上記コンテンツの暗号化を、上記生体情報暗号解読のステップにより解読された上記生体情報により、解読するコンテンツ暗号解読ステップと
　を備えることを特徴とするデータ再生方法。
　　【請求項２２】
　コピー可能であり、コンテンツを所有および／あるいは利用する１または複数のユーザの生体情報により暗号化されたコンテンツと、暗号鍵により暗号化された上記生体情報と、上記暗号鍵とが
対応付けて
　データ記録媒体に記録された暗号鍵と生体情報とコンテンツとを読み取るための読み取りステップと、
　上記読み取りステップにより読み取られた上記暗号鍵により、上記読み取りステップにより読み取られた上記生体情報を解読する生体情報暗号解読ステップと、
　上記生体情報暗号解読ステップにより暗号解読された上記生体情報と、上記コンテンツの再生を要求する１または複数のユーザの生体情報とを照合し、上記コンテンツの再生を要求する１または複数のユーザが、上記データ記録媒体に記録された上記コンテンツを所有および／あるいは利用する１または複数のユーザであるか否かを判断する照合ステップと、
　上記照合ステップにおいて、上記コンテンツの再生を要求する１または複数のユーザが、上記データ記録媒体に記録された上記コンテンツを所有および／あるいは利用する１または複数のユーザであると判断された場合には、上記読み取りステップにより読み取られた上記コンテンツの暗号化を、上記生体情報暗号解読のステップにより解読された上記生体情報により、解読するコンテンツ暗号解読ステップと
　を備えることを特徴とするデータ再生方法。」
　とするものである。
　
　本件補正後の請求項１〜２２は、本件補正前の請求項１〜２２にそれぞれ対応する。
　本件補正の具体的内容については、独立請求項１，５，７，９，１１，１３，１５，１７〜２２において、生体情報及び暗号化されたコンテンツの記録について、「対応付けて」と限定するものであるから、平成１８年法律第５５号改正附則第３条第１項によりなお従前の例によるとされる同法による改正前の特許法第１７条の２第４項第２号に規定する特許請求の範囲の減縮を目的とするものに該当する。
　
　そこで、本件補正後の請求項１に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項で準用する同法第１２６条第５項に規定する要件を満たすか）否かについて、以下検討する。
　
２．引用例
　
　原査定の拒絶の理由に引用された特開平１−２３６３８８号公報（平成１年９月２１日公開、以下「引用例１」という。）には、図面と共に、以下の記載がある。（なお、下線は、当審で付与した。）
　
（１）「＜実施例＞
　本発明の第１の実施例を第１図及び第２図を用いて説明する。
　本実施例は、
情報記録媒体の所定の位置に使用者個有の指紋情報を記録し
　
（２）「＜発明の効果＞
　本発明に係る情報記録再生装置は、
使用者個有の情報をあらかじめ情報記録媒体に記録し
情報記録媒体内の情報の秘密保持の信頼性が向上し、使用者以外が情報を改ざんしたり、勝手に読出すことを防止することができる
（４頁右下欄１２行〜５頁左上欄１行）
　　
　前記各摘示事項及び図面の記載を総合勘案すると、結局、引用例１には、次の発明（以下「引用発明」という。）が記載されているものと認める。
　
「使用者固有の指紋情報と情報とが記録されている情報記録媒体。」
　
　同じく、原査定の拒絶の理由に引用された特開平１１−２１５１１９号公報（平成１１年８月６日公開、以下「引用例２」という。）には、図面と共に、以下の記載がある。（なお、下線は、当審で付与した。）
　
（３）「【特許請求の範囲】
【請求項４】　原稿画像を読み取り、原稿画像信号として出力可能な原稿画像読み取り手段と、前記原稿画像読み取り手段で読み取られた原稿画像信号を対応する可視画像として出力する出力手段とを有する原稿画像複写システムに組み込み可能な個人情報管理装置であって、
個人の生体特徴を抽出する抽出手段と
前記抽出手段で抽出された生体特徴をデジタルコード化するコード化手段と
前記コード化手段でコード化されたデジタルコードにもとづいて２次コード情報を生成する２次コード生成手段と、　
前記生成手段で生成された２次コード情報の正当性を確認する確認手段と、
前記確認手段で正当性が確認された場合に
前記コード化手段でコード化された生体特徴に基づいて前記原稿情報読み取り手段で読み取られた原稿画像信号を暗号化する暗号化手段
前記暗号化手段で暗号化された信号を可視画像データに変換して前記出力手段に出力する変換手段とを有することを特徴とする個人情報管理装置。」
　
（４）【００４５】なお、以上の説明は
暗号化情報を一旦記録媒体上に出力したが、この出力部４０３での出力は記録紙等への印刷出力の場合に限定されるものではなく、例えばデジタルデータとして磁気ディスク装置の様な大容量記憶装置の記録媒体に記録出力される
　
３．対比
　
　そこで、本願補正発明と引用発明とを対比する。
　
（１）引用発明の「使用者」及び「指紋情報」は、本願補正発明の「利用する１のユーザ」及び「生体情報」にそれぞれ相当する。
（２）引用発明の「情報」は、本願補正発明の「コンテンツ」に相当する。
（３）引用発明の「情報記録媒体」は、本願補正発明の「データ記録媒体」に相当する。
（４）引用発明において、使用者は、情報記録媒体に記録された情報にアクセスできるのであるから、引用発明の「情報」は、コピー可能であることは明らかである。
　　
　そうすると、本願補正発明と引用発明とは、次の点で一致する。
　
＜一致点＞
「利用する１のユーザの生体情報と、コピー可能であり（る）、コンテンツとが、記録されているデータ記録媒体。」の点。
　
　そして、次の各点で相違する。　
＜相違点＞
（ａ）「コンテンツ」について、本願補正発明は、生体情報により暗号化されているのに対し、引用発明は、情報の暗号化について記載がない点。
　
（ｂ）本願補正発明は、生体情報と生体情報により暗号化されたコンテンツとが対応付けて記録されているに対し、引用発明は、指紋情報と情報とが記録されている点。
　
４．判断
　
そこで、上記相違点について検討する。
　
相違点（ａ）について
　情報記録分野において、秘密保持等を目的として情報を暗号化することは極普通に採用される常套手段である。
　一方、引用例２には、生体情報を暗号鍵とする技術が記載されている。
　そうすると、引用発明において、情報の機密保持等のために情報を暗号化するという周知技術を適用するに際し、引用例２に記載された上記技術を採用することにより、相違点（ａ）の、生体情報により暗号化された情報（コンテンツ）とすることは当業者が容易に想到できるものである。
　　
相違点（ｂ）について
　相違点（ａ）で検討したように、生体情報によりコンテンツを暗号化することは容易に想到できたものであり、生体情報によりコンテンツを暗号化するのであるから、生体情報と暗号化されたコンテンツとが対応付けて記録されていることは自明のことである。
　
　そして、上記相違点を総合的に判断しても、本願補正発明が奏する効果は引用例１及び２から、当業者が十分に予測できたものであって、格別なものとはいえない。
　したがって、本願補正発明は、引用例１及び２に記載された発明に基づいて当業者が容易に発明をすることができたものであるから、特許法第２９条第２項の規定により特許出願の際独立して特許を受けることができない。
　
５．本件補正についてのむすび
　
　以上のとおり、本件補正は、平成１８年法律第５５号改正附則第３条第１項によりなお従前の例によるとされる同法による改正前の特許法第１７条の２第５項で準用する同法第１２６条第５項の規定に違反するので、同法第１５９条第１項の規定において読み替えて準用する同法第５３条第１項の規定により却下すべきものである。
　
第３　本願発明について
　
１．本願発明
　
　平成１９年９月１０日付けの手続補正は上記のとおり却下されたので、本願の請求項１に係る発明（以下「本願発明」という。）は、平成１９年６月１８日付け手続補正で補正された明細書の特許請求の範囲の請求項２に記載された事項により特定される、前記「第２［理由］１．」の補正前の「請求項１」として記載したとおりのものである。
　
２．引用例及びその記載
　
　原査定の拒絶の理由で引用された引用例及びその記載事項は、上記「第２［理由］２．」に記載したとおりである。
　
３．対比・判断
　
　本願発明は、上記「第２［理由］」で検討した本願補正発明から「対応付けて」を削除したものである。
　そうすると、本願発明の構成要件を全て含み、さらに他の構成要件を付加したものに相当する本願補正発明が、上記「第２［理由］３．４．」に記載したとおり、引用例に記載された発明および周知技術に基づいて、当業者が容易に発明をすることができたものであるから、本願発明も、同様の理由により、引用例１及び２に記載された発明に基づいて、当業者が容易に発明をすることができたものである。
　
４．むすび
　
　以上のとおり、本願の請求項１に係る発明は、特許法第２９条第２項の規定により特許を受けることができない。
　したがって、本願は、その余の請求項について論及するまでもなく拒絶すべきものである。
　
　よって、結論のとおり審決する。